(57)【要約】【目的】  健康増進の効果を向上した温熱浴装置の実現を目的とする。【構成】  本発明の温熱浴室装置は、放射線、遠赤外線、陰イオンを放出する天然鉱石を内包し浴室の床面に敷設される鉱石マット１７と、この鉱石マット１７を敷設した床面を加熱するために設けられた温水循環用配管１４と、浴室１０の上部から水をイオン化して霧状に噴出するイオン化ノズル２１とを設けたことを特徴とする。【選択図】            図１
2005287607.tif 000002
【特許請求の範囲】
【請求項１】
天然鉱石を内包し浴室の床面に敷設される鉱石マットと、
この鉱石マットを敷設した床面を加熱する加熱手段と、
前記浴室の上部から水を霧状に噴出する噴霧手段と
を有することを特徴とする温熱浴装置。
【請求項２】
前記鉱石マットは、放射線ホルミシス効果を有する放射性物質を含む天然鉱石、または、温熱効果を有する遠赤外線放射特性を有する天然鉱石、または、身体細胞の活性化効果を有するイオン放射特性を有する天然鉱石のうちの少なくとも１種類以上を内包することを特徴とする請求項１に記載の温熱浴装置。
【請求項３】
前記加熱手段には加熱温度を調節するための温度調節手段を具備することを特徴とする請求項１または請求項２に記載の温熱浴装置。
【請求項４】
前記加熱手段は、前記浴室の床面の内部に敷設した配管に温水を流通して加熱することを特徴とする請求項３に記載の温熱浴装置。
【請求項５】
前記温度調節手段は、前記配管を流通する温水の温度および／または流通量を制御して温度調節を行うことを特徴とする請求項４に記載の温熱浴装置。
【請求項６】
前記噴霧手段は、動力ポンプにより加圧された精製水をイオン化ノズルを経由して前記浴室内に噴霧することを特徴とする請求項１ないし請求項５のいずれかに記載の温熱浴装置。
【請求項７】
前記精製水は水道水あるいは地下水を活性炭濾過装置と逆浸透膜装置等により脱イオン化した水であることを特徴とする請求項６に記載の温熱浴装置。
【請求項８】
前記イオン化ノズルは、ノズル本体を直流電源の負極に接続し、このノズル本体の前方外周部にこのノズル本体とは電気的に絶縁されたリング状のイオン化電極を配して直流電源の正極に接続した構造の直流イオン化ノズルであることを特徴とする請求項７または請求項８に記載の温熱浴装置。
【請求項９】
前記浴室での入浴の前後に利用者が休憩する休憩室を有することを特徴とする請求項１ないし請求項８のいずれかに記載の温熱浴装置。
【請求項１０】
前記浴室および／または前記休憩室内部に飲料水を提供する飲料水供給手段を有することを特徴とする請求項９に記載の温熱浴装置。
【請求項１１】
前記飲料水供給手段は、飲料水として量子エネルギー水を提供することを特徴とする請求項１０に記載の温熱浴装置。
【請求項１２】
前記量子エネルギー水は、水道水あるいは地下水を活性炭濾過装置と逆浸透膜装置等により脱イオン化した水を原料水とし、この原料水を量子エネルギー注入装置に導入して水の分子を活性化して得られた水であることを特徴とする請求項１１に記載の温熱浴装置。
【発明の詳細な説明】
【技術分野】
【０００１】
本発明は、温熱浴装置に関し、特に一層の健康増進効果を図った温熱浴装置に関する。
【背景技術】
【０００２】
温泉やサウナなどの入浴には身体を温めて血行を良くし発汗を促し、こりや痛みを解消して心身をリラックスさせる効果がある。これにさらにマイナスイオンや放射線や遠赤外線などの効果を加えて、一層の疲労回復や健康増進を図った温熱入浴施設に関する報告がなされている（特許文献１参照。）。
【特許文献１】特開２０００−３５０７８８号公報
【発明の開示】
【発明が解決しようとする課題】
【０００３】
本発明は、前述の先行例をさらに改善し、鉱石マットや噴霧手段などを用いて、さらには健康に良い飲料の供給も含めて、健康増進の効果を一層向上した温熱浴装置の実現を目的とする。
【課題を解決するための手段】
【０００４】
上記目的を達成するため、本発明の請求項１に記載の発明は、温熱浴装置において、天然鉱石を内包し浴室の床面に敷設される鉱石マットと、この鉱石マットを敷設した床面を加熱する加熱手段と、前記浴室の上部から水を霧状に噴出する噴霧手段とを有することを特徴とする。
【０００５】
上記目的を達成するため、本発明の請求項２の発明は、請求項１に記載の発明において、前記鉱石マットは、放射線ホルミシス効果を有する放射性物質を含む天然鉱石、または、温熱効果を有する遠赤外線放射特性を有する天然鉱石、または、身体細胞の活性化効果を有するイオン放射特性を有する天然鉱石のうちの少なくとも１種類以上を内包することを特徴とする。
【０００６】
上記目的を達成するため、本発明の請求項３の発明は、請求項１または請求項２に記載の発明において、前記加熱手段には加熱温度を調節するための温度調節手段を具備することを特徴とする。
【０００７】
上記目的を達成するため、本発明の請求項４の発明は、請求項３に記載の発明において、前記加熱手段は、前記浴室の床面の内部に敷設した配管に温水を流通して加熱することを特徴とする。
【０００８】
上記目的を達成するため、本発明の請求項５の発明は、請求項４に記載の発明において、前記温度調節手段は、前記配管を流通する温水の温度および／または流通量を制御して温度調節を行うことを特徴とする。
【０００９】
上記目的を達成するため、本発明の請求項６の発明は、請求項１ないし請求項５のいずれかに記載の発明において、前記噴霧手段は、動力ポンプにより加圧された精製水をイオン化ノズルを経由して前記浴室内に噴霧することを特徴とする。
【００１０】
上記目的を達成するため、本発明の請求項７の発明は、請求項６に記載の発明において、
前記精製水は水道水あるいは地下水を活性炭濾過装置と逆浸透膜装置等により脱イオン化した水であることを特徴とする。
【００１１】
上記目的を達成するため、本発明の請求項８の発明は、請求項６または請求項７に記載の発明において、前記イオン化ノズルは、ノズル本体を直流電源の負極に接続し、このノズル本体の前方外周部にこのノズル本体とは電気的に絶縁されたリング状のイオン化電極を配して直流電源の正極に接続した構造の直流イオン化ノズルであることを特徴とする。
【００１２】
上記目的を達成するため、本発明の請求項９の発明は、請求項１ないし請求項８のいずれかに記載の発明において、前記浴室での入浴の前後に利用者が休憩する休憩室を有することを特徴とする。
【００１３】
上記目的を達成するため、本発明の請求項１０の発明は、請求項１ないし請求項９のいずれかに記載の発明において、前記浴室および／または前記休憩室内部に飲料水を提供する飲料水供給手段を有することを特徴とする。
【００１４】
上記目的を達成するため、本発明の請求項１１の発明は、請求項１０に記載の発明において、前記飲料水供給手段は、飲料水として量子エネルギー水を提供することを特徴とする。
【００１５】
上記目的を達成するため、本発明の請求項１２の発明は、請求項１１に記載の発明において、前記量子エネルギー水は、水道水あるいは地下水などを活性炭濾過装置、逆浸透膜装置等により脱イオン化した水を原料水とし、この原料水を量子エネルギー注入装置に導入して水の分子を活性化して得られた水であることを特徴とする。
【発明の効果】
【００１６】
本発明の請求項１によれば、天然鉱石を加熱することによって鉱石から放射される放射線、遠赤外線、イオンなどを浴び、噴霧手段が生み出す霧によって生成される陰イオンを呼吸することによって、利用者の身体細胞が活性化され、利用者の健康を一層増進することができる。
【００１７】
本発明の請求項２によれば、天然鉱石の出す放射線によるホルミシス効果、天然鉱石からの遠赤外線による温熱効果、さらに天然鉱石からのイオンによる細胞活性化効果によって、利用者の身体細胞が活性化され、利用者の健康の増進が図られる。
【００１８】
本発明の請求項３によれば、加熱手段には温度調節手段を有しているので、温熱浴室の温度を最適の３８〜４２℃の温度に保つことが容易になる。
【００１９】
また、本発明の請求項４によれば、加熱は温水によって行われるので、加熱が無駄なく行われ、かつ保温が良好である。
【００２０】
さらに、本発明の請求項５によれば、温度調節手段は温水の温度や流水量によっているので、長時間に亙って安定した制御が可能である。
【００２１】
本発明の請求項６によれば、噴霧手段は精製水を陰イオン化して噴霧しているので、浴室内の湿度を最適の９０〜９５％に保つことができるとともに、陰イオンの効果で利用者の健康の増進を図ることができる。
【００２２】
本発明の請求項７によれば、精製水は水道水あるいは地下水を活性炭濾過装置と逆浸透圧装置で脱イオン化することで、比較的容易に実現することができる。
【００２３】
本発明の請求項８によれば、噴霧手段のイオン化ノズルは噴出口を直流負極に接続しているので、噴霧する精製水を容易に陰イオン化することができる。
【００２４】
本発明の請求項９によれば、温熱浴室に隣接して休憩室を設けているので、休憩を含めた入浴計画を立てることができ、また、休憩中も天然鉱石の出す放射線、遠赤外線、イオンによる効果を浴びることができる。
【００２５】
本発明の請求項１０によれば、温熱浴室や休憩室に飲料水を供給する手段を設けたので、利用者は入浴中や休憩中に健康に役立つ飲料を飲むことができる。
【００２６】
本発明の請求項１１によれば、飲料水供給手段は量子エネルギー水を飲料水として提供するので、栄養物の吸収や老廃物の排気を促進することができ、利用者の健康を一層増進することができる。
【００２７】
本発明の請求項１２によれば、量子エネルギー注入装置により量子エネルギー水を脱イオン水から簡単に作ることができる。
【発明を実施するための最良の形態】
【００２８】
本発明の温熱浴装置は、温熱浴の効果にマイナスイオンや放射線、遠赤外線などの効果を加え、さらに特殊飲料の効果を加えて、利用者の身体の新陳代謝を活発にして体質の改善を図ることを目的とした健康増進用の温熱浴装置であって、この温熱浴装置を用いることで、これまでの医学的、薬学的な方法では解決できなかった身体の疼痛や愁訴を緩和し心身をリラックスさせる効果が期待できるものである。
【００２９】
本発明の温熱浴装置を図面を参照にして詳細に説明する。
【００３０】
図１は本発明の温熱浴装置を有して構成される温熱浴室の縦断面図、図２は本発明の温熱浴装置で用いられる鉱石マットの内袋の一例の平面図と側面断面図、図３はこの温熱浴装置を含む温熱入浴施設の平面図である。
【００３１】
図１、図２および図３において、符号１０は温熱浴室、符号１１はコンクリート、符号１２は断熱材、符号１３はモルタル、符号１４は温水循環用配管、符号１６は鉱石群、符号１７は鉱石マット、符号１８は木質パネル、符号２０はイオン水配管、符号２１はイオン化ノズル、符号２２はイオン水、符号２３は遠赤外線、イオン、放射線などの放射物、符号２５は溶着（縫製）部分、符号２６は袋状部、符号２７は鉱石マット１７の内袋、符号３１は玄関室、符号３２は出入口、符号３３は更衣室、符号３４はシャワー室、符号３５は機械室、符号３６は機械室出入口、符号３７はボイラー、符号３８は休憩室、符号３９はリクライニングシートである。
【００３２】
図１および図３に示すように本発明の温熱浴室１０は、床面内部に敷設した温水循環用配管１４に温水を流通させることで、浴室１０全体が適温（例えば３８〜４２℃）に保たれるようになっている。浴室の上部の壁面や天井面に設置されたイオン化ノズル２１から噴霧されるイオン水２２により、浴室１０内の湿度は常時９０〜９５％に保たれる。
【００３３】
利用者は、浴室１０の床面に敷いた鉱石マット１７の上に楽な姿勢で横になり、鉱石マット１７から放射される低レベルの放射線（α線、β線、γ線）や遠赤外線、陰イオンなどを体中に受けるとともに、鉱石マット１７とイオン水２２霧滴より生成される陰イオン化空気を呼吸することにより、身体細胞が活性化される。
【００３４】
さらに、利用者は温熱浴しながら図示しない飲料水供給手段から供給される量子エネルギーの注入された量子エネルギー水を飲用することにより、新陳代謝が一層活性化され、発汗と排尿により体内の老廃物が排出される。
【００３５】
この結果、利用者は心身がリラックスされ、愁訴が緩和されるとともに、体質の改善が促され、健康の増進が図れる。
【００３６】
次に、本発明で用いられる鉱石マット１７について図２に沿って説明する。鉱石マット１７の材質には厚手のナイロン織布を用い、その内袋２７は溶着（縫製）部分２５で区切られて図２のように１７個の袋状部２６が形成されている。
【００３７】
ここで上げた鉱石マット１７の一実施例では、このマット１７の内袋２７の幅ａは８５ｃｍ、長さｂは１７５ｃｍ、袋状部２６の幅ｃは１０ｃｍ、マット１７の厚みｄは５ｃｍである。鉱石の充填量は各袋状部２６ごとに１ｋｇとし、鉱石マット１７全体で約１７ｋｇ充填する。鉱石を充填した内袋２７は、同じ材質で作られた外袋に入れられて端面を溶着されて封止される。外袋の仕上がり寸法は９０ｃｍ×１８０ｃｍで重量は約２０ｋｇである。
【００３８】
この鉱石マット１７に充填される鉱石について説明する。
【００３９】
充填される鉱石のうち、低レベルの放射能を放射する鉱石として北投石（ホクトウセキ）を用いる。北投石は国内では秋田県の玉川温泉から産出される鉄さび色の鉱石で、放射性物質のラジウムを含むため比重が重く、微量のα線、β線、γ線を放射する。
【００４０】
本発明の鉱石マット１７では、放射線量が５００Ｂｑ（ベクレル）に相当するように北投石を充填する。放射線量は線量計で正確に測定するが、これは北投石の場合、鉱石重量換算で約１００ｇに相当する。
【００４１】
充填される鉱石のうち、陰イオンを放射する鉱石として紅晶石（コウショウセキ）を用いる。紅晶石はブラジル国に産出する透明淡紅色の鉱石で、結晶構造が電気的に分極しているという水晶に類似した物性を持ち、熱擾乱発電作用と圧電作用により、過熱や衝撃によって結晶表面に電位を発生する。このため、紅晶石を水中に投ずれば水を電気分解して細菌類の繁殖を抑える効果があり、イオン類を析出して水を軟水化し金属イオンを除去するなどの浄化効果を示す。また、紅晶石を大気中に置けば、鉱石近傍の空気や水蒸気を陰イオン化する働きがある。
【００４２】
本発明の鉱石マット１７では、イオン生成量が毎秒５００，０００カウントに相当するように紅晶石を充填する。イオン生成量はイオン計にて正確に測定するがこれは紅晶石の場合、鉱石重量で約５ｋｇに相当する。
【００４３】
さらに、充填される鉱石のうち、遠赤外線を放射する鉱石として天源石（テンゲンセキ）を用いる。天源石は新潟県に産出する灰白色ないし黄灰色の鉱石で、数十種類の元素を含んでいるためこうした名前で呼ばれている。天源石は鉱石の結晶構造が多結晶構造（天然のセラミック構造）となっており、４０℃付近などの比較的低い温度でも遠赤外線放射効果が高い。
【００４４】
本発明の鉱石マット１７では、天源石を約１２ｋｇ充填する。
【００４５】
以上に示したように、本発明の鉱石マット１７には、北投石を約１００ｇ、紅晶石を約５ｋｇ、天源石を約１２ｋｇ充填するようにしている。各鉱石は、事前に平均粒度を３〜５mm程度に粉砕し、バレル研摩装置にて鋭角部は摩滅させておく。研摩装置で鋭角部は摩滅させた鉱石は、水洗、水きり、乾燥の後、計量して混合攪拌装置にて均等に混合ブレンドする。
【００４６】
本発明の温熱浴装置を設備する温熱入浴施設としては例えば図３に示した例のようなものが好ましい。
【００４７】
この例で、更衣室３３、シャワー室３４、機械室３５は一般的な設備でよいが、温熱浴室１０および休憩室３８は特別な構造であることが望まれる。温熱浴室１０については先に図１に沿って述べたので、ここでは休憩室について触れておく。
【００４８】
休憩室３８は、利用者が身体にこもった熱を冷まし、くつろぎながら休憩する場所として考えられているため、温熱浴室１０に準じた構造にすることが好ましい。温熱浴室１０と同様な鉱石群を床面、壁面、天井の少なくとも一箇所以上に埋め込み、休憩中にも低レベルの放射能やイオン浴、遠赤外線浴が可能なように構成する。
【００４９】
また、温熱浴室１０や休憩室３８には精神的な安らぎを与える効果の高い音楽や音響、例えば、川のせせらぎの音や海の波の音、林を抜ける風の音などの自然界の音などを適当な音量で流し、照明も明るすぎないような適度な落ち着いた雰囲気の照明とすることが好ましい。
【００５０】
さらに、温熱浴室１０や休憩室３８の内装材は、木質系の内装材を用いることが好ましく、より好ましくは檜材を用いる。檜は殺菌効果や精神安定作用の高いヒノキチオールを含んでいるため、鉱石群から放射される低レベルの放射線やイオン、遠赤外線により樹脂成分が蒸散していわゆるフィンチッド現象を発現する。フィンチッド現象は森林などの樹木が発散する物質が精神に深いやすらぎを与える効果を言い、一般的には森林浴効果と呼ばれている。
【００５１】
次に、本発明の温熱浴室１０を加熱する手段として用いる温水加熱方式について説明する。これは床面内部に温水配管１４を敷設し、これに温水を流して温める構造である。図４に温水加熱方式の機械室３５内の構成を示す。図４で符号４１は灯油ボイラー、符号４２は給水タンク、符号４３は給水配管、符号４５は温水タンク、符号４６は温水配管、符号４７は温湯センサー、符号４８は温水循環ポンプである。
【００５２】
図３に示したような６人用の施設を例にとると、例えば灯油ボイラー４１には１０，０００Ｋｃｌのもの、給水タンク４２には１００ｌ（リットル）のもの、温水タンク４５には保温機能を有する２００ｌ（リットル）のもの、温水循環ポンプ４８には０．７５ＫＷのものを用いる。勿論、大規模施設ではスケールを適宜アップして用いる。
【００５３】
温水配管４６には１インチ径の鋼管を用いて行い、床構造の上に断熱材（例えばシリカ断熱材など、図１の１２）を敷設してその上に配管する。配管４６の長さは１平方ｍあたり２ｍ程度が好ましく、図３の温熱浴室１０の縦を５４０ｃｍ、横を８１０ｃｍとすると、この浴室の床内の配管の長さは約１００ｍである。
配管を終えた床面には配管４６が隠れる程度にモルタル（図１の１３）を流し込み、モルタル１３が乾燥固化した後で、モルタル１３の上に垂木を配して檜板などの床材を敷設する。床板の厚さは１０ｍｍ程度とし、浴室内の加熱保温の観点からすのこ状に張るのが好ましい。
次に、本発明の温熱浴装置で用いられる噴霧手段について説明する。噴霧手段は、浴室１０の上部の壁面や天井面に設置されたイオン化ノズル２１からイオン水２２を噴霧して浴室１０内の湿度を常時９０〜９５％に保つ機能を有している。
【００５４】
噴霧手段に用いる水として水道水や地下水を直接用いるのは好ましくない。これは水道水には塩素成分や鉄さびなどの金属成分が含まれているためであり、地下水にはミネラル成分が多く含まれているためである。塩素残留成分や金属イオン、ミネラル分が含まれていない精製水を用いなければならないが、精製水は水道水や地下水を浄化装置によって脱イオン化して作ることができる。図５にこのような浄化装置の構成を示す。
【００５５】
図５において、符号５２は２０μメッシュカートリッジフィルタ、符号５３は活性炭濾過装置、符号５４は逆浸透圧濾過装置、符号５５は脱イオン水圧送ポンプ、符号５７は水道水配管、符号５８は脱イオン水配管である。
【００５６】
水道水配管５７から送られる水道水は、２０μメッシュのカートリッジフィルタフィルタ５２を通過することにより大きなごみや浮遊粒子などが除去され、次いで活性炭濾過装置５３を通過することによりトリハロメタンや残留塩素イオンが除去される。さらに逆浸透圧濾過装置５４を通過することにより水中に溶解しているイオン類が除去される。こうして得られた脱イオン水は脱イオン水圧送ポンプ５５によって加圧され、脱イオン水配管５８を通ってイオン化ノズル２１に送られる。
【００５７】
図３に示したような６人用の施設を例にとると、２０μメッシュカートリッジフィルタ５２、活性炭濾過装置５３とも直径６０ｍｍ、長さ２５０ｍｍのカートリッジ型を用い、逆浸透圧濾過装置５４は毎分１０ｌ（リットル）以下の小型のものとする。
【００５８】
次に、図６のイオン化ノズルの外観図にそって本発明の温熱浴装置の噴霧手段の先端に用いられるイオン化ノズル２１について説明する。図６において、符号６１はノズル、符号６２は負極を構成する取付金具、符号６３は取り付けネジ、符号６４は正極を構成する加速電極、符号６７はノズル６１から噴出される荷電水滴である。
【００５９】
ノズル６１本体はステンレス製で噴孔がセラミック製の物を用いる。水の噴出パターンは円形のものが好ましく、噴出パターンが長円形のものや角型パターンのものは荷電性能が好ましくない。このような構成で取付金具６２を負極に、加速電極６４を正極に直流電源に接続すると、ノズル６１から噴出される水滴が帯電されて陰イオン化される。図３に示した６人用の施設ではこのようなノズル６１が３個使用される。
【００６０】
次に、本発明の温熱浴装置で飲料水供給手段から提供される特殊飲料水について説明する。飲料水供給手段は、温熱浴室１０または休憩室３８あるいはその両方に設けられていて、飲料水として量子エネルギー水を提供する。量子エネルギー水の製造手順を図７に示す。この製造方法は飲料水製造許可を図７において、符号７１は浄化装置、符号７２は充填工程、符号７３は量子エネルギー注入装置、符号７４は量子エネルギー注入工程、符号７５は完成した量子エネルギー水パックである。
【００６１】
量子エネルギー水は図５に示したような浄化装置７１によって脱イオン化された水を衛生的なパックに充填し（図７の７２）、これに量子エネルギー注入工程７４で量子エネルギー注入装置７３から量子エネルギーを注入して量子エネルギー水パック７５として得られる。このようにして得られる脱イオン水は、水の分子が高度に活性化されているため、体内で吸収が速く、身体の隅々まで浸透して細胞を活性化させる働きがあることが知られている。
【００６２】
ここで、量子エネルギーとは、多元素焼結体を加熱したとき放射される電磁波や、イオン、放射線などの総合的なエネルギーをいい、量子エネルギーを照射された水は水素原子中の電子の角速度が加速され、水素結合が破壊される。このため、水のクラスターが極端に小さくなり、浸透作用が大きくなってその結果生体細胞への吸収が速まる。
【００６３】
われわれの身体は、無数の細胞で構成されているが、栄養物や老廃物を運ぶための血管は身体を構成する各細胞まで達しているわけではなく、血管と細胞の間には細胞間物質が介在している。このような細胞間物質はコラーゲン物質であることが分かっており、水と融和した形で存在していることも確かめられている。吸収力が速く、浸透作用が大きな水を飲用すると、栄養物や老廃物の移送がスムーズになり、新陳代謝が活発化する。
【００６４】
本発明の温熱浴室１０での効果的な入浴方法では、浴室または休憩室で量子エネルギー水を１ｌ（リットル）以上飲用するようになっている。温熱浴室１０での効果的な入浴方法の一例のフローチャートを図８に示す。この例では入浴に要する時間に約１時間取っている。
【００６５】
図８のステップ１０１で、利用者は更衣室３３で入浴ウェアに着替え、ステップ１０２で、温熱浴室１０または休憩室３８で量子エネルギー水を約２００ｃｃ程度飲む。次に、ステップ１０３で、温熱浴室１０に備え付けの手足の温浴装置で手足を約１０分間程度温める。
【００６６】
ここでステップ１０４に進み、利用者は楽な姿勢で温熱浴室１０の鉱石マットの上に横たわり、軽く目を瞑って１回目の温熱浴を開始する。このとき、すぐ飲めるように、量子エネルギー水を手近に用意しておく。ステップ１０４での温熱浴は約２０分程度であり、利用者はこの間に１ｌ（リットル）程度を目安にできるだけ多くの量子エネルギー水を飲むようにする。約２０分間の温熱浴が終わると、ステップ１０５に進み、汗を拭いて休憩室３８で約１０分間の休憩に入る。
【００６７】
休憩が終わると、ステップ１０６に進み、温熱浴室１０の鉱石マット上で２回目の温熱浴に入る。この２回目の温熱浴も約２０分で、利用者はこの２回目の温熱浴でも１ｌ（リットル）程度を目安にできるだけ多くの量子エネルギー水を飲むようにする。最後にステップ１０７でシャワー室３４に入ってシャワーを浴びて汗を流し、これで温熱浴を終了する。
【産業上の利用可能性】
【００６８】
本発明の温熱浴装置は以上のように構成したので、利用者は温熱浴の過程で放射線、遠赤外線、マイナスイオンを全身に浴びることができ、かつ量子エネルギー水を飲むことができるので、これらの相乗効果によって、心身ともにリラックスすることができ、自律神経の調整や血圧の低下、血液の浄化、疲労やこりや痛みの解消、食欲増進、呼吸器や内蔵機能の向上、免疫力の改善、身体細胞の活性化、がん予防など広い意味での健康を大幅に増進することができる。したがって、本発明は医療分野、福祉分野をはじめ、健康に関する広い産業上の分野で大きな利用の可能性を有するものである。
【図面の簡単な説明】
【００６９】
【図１】本発明の温熱浴装置を持つ温熱浴室の縦断面図である。
【図２】本発明の温熱浴装置で用いられる鉱石マットの平面図と側面断面図である。
【図３】本発明の温熱浴装置を含む温熱浴施設の平面図である。
【図４】本発明の温熱浴装置の温水加熱方式の機械室の構成図である。
【図５】本発明の温熱浴装置で用いられる精製水への浄化装置の構成図である。
【図６】本発明の温熱浴装置の噴霧手段に用いられるイオン化ノズルの外観図である。
【図７】本発明の温熱浴装置で飲料水として用いられる量子エネルギー水の製造手順を示す説明図である。
【図８】本発明の温熱浴装置での効果的な入浴方法をあらわすフローチャートである。
【符号の説明】
【００７０】
１０    温熱浴室
１１    コンクリート
１２    断熱材
１３    モルタル
１４    温水循環用配管
１６    鉱石群
１７    鉱石マット
１８    木質パネル
２０    イオン水配管
２１    イオン化ノズル
２２    イオン水
２３    遠赤外線、イオン、放射線などの放射物
２５    溶着（縫製）部分
２６    袋状部
２７    内袋
３１    玄関室
３２    出入口
３３    更衣室
３４    シャワー室
３５    機械室
３６    機械室出入口
３７    ボイラー
３８    休憩室
３９    リクライニングシート
４１    灯油ボイラー
４２    給水タンク
４３    給水配管
４５    温水タンク
４６    温水配管
４７    温湯センサー
４８    温水循環ポンプ
５２    ２０μメッシュカートリッジフィルタ
５３    活性炭濾過装置
５４    逆浸透圧濾過装置
５５    脱イオン水圧送ポンプ
５７    水道水配管
５８    脱イオン水配管
６１    ノズル
６２    取付金具
６３    取り付けネジ
６４    加速電極
６７    荷電水滴
７１    浄化装置
７２    充填工程
７３    量子エネルギー注入装置
７４    量子エネルギー注入工程
７５    量子エネルギー水パック
【図１】
2005287607.tif 000003
【図２】
2005287607.tif 000004
【図３】
2005287607.tif 000005
【図４】
2005287607.tif 000006
【図５】
2005287607.tif 000007
【図６】
2005287607.tif 000008
【図７】
2005287607.tif 000009
【図８】
2005287607.tif 000010